(57)【要約】【課題】タオル地風合いの生地とガーゼ地とを重ね合わせた織物生地を得ることができるとともに、その織物生地を用いる製品用途の多様化を図る。【解決手段】多数個のループ５を形成した糸４により織り上げてその一方面側に該ループ５を表出したタオル地風合いの生地２と、その生地２の他方面側にガーゼ地３を重ね合わせてなる。【選択図】    図１
2004332146.tif 000002
【特許請求の範囲】
【請求項１】
多数個のループを形成した糸により織り上げてその一方面側に該ループを表出したタオル地風合いの生地と、その生地の他方面側にガーゼ地を重ね合わせてなることを特徴とする織物生地。
【請求項２】
請求項１に記載の織物生地であって、前記ループを表出したタオル地風合いの生地に対し、前記ガーゼ地の一部が結束された状態で織り上げてなるを特徴とする織物生地。
【発明の詳細な説明】
【０００１】
【発明が属する技術分野】
本発明は、とくに、ガーゼ地を重ね合わせた織物生地に関するものである。
【０００２】
【従来の技術】
従来、この種の織物生地としては、タオル地とガーゼ地とを組合せて、該タオル地の裏面に対してガーゼ地を遊離した状態で構成したものがある。（例えば、特許文献１参照。）
【０００３】
【特許文献１】
大正１５年実用新案出願公告第２９０５９号（第１頁第５行〜６行、第３図）
【０００４】
【発明が解決しようとする課題】
しかしながら、上記した従来のものにおいては、タオルの環毛を構成すべき経糸及び地経糸と裏面の地経糸とを二段に整経し袋織組織に依り表面には地経糸を裏面は緯糸を織込み、表面には片面又は両面タオル地を組織し、裏面にはこれと遊離する状態にてガーゼ地を形成するものであって、環毛を有するタオル地そのものを袋織組織とするものであるから、その袋織組織としての織り幅等に制約を受け、必然的にその製品用途としてタオル等というように限定されたものとなっていた。
そこで、本発明は、タオル地風合いの生地とガーゼ地とを重ね合わせた織物生地を得ることができるとともに、その織物生地を用いる製品用途の多様化を図ることができる織物生地を提供することにある。
【０００５】
【課題を解決するための手段】
上記した課題を達成するために、請求項１に記載の発明は、多数個のループを形成した糸により織り上げてその一方面側に該ループを表出したタオル地風合いの生地と、その生地の他方面側にガーゼ地を重ね合わせてなることを要旨とするものである。
【０００６】
この構成によれば、ループを備えたタオル地風合いの生地とガーゼ地とを重ね合わせた織物生地を得ることができる。
そして、タオル地風合いの生地並びにガーゼ地は、通常の織機、例えば、リバーシブル織機により同時に織り上げることにより、通常の織幅の織物生地として得ることが可能となり、その織物生地を用いた製品用途の多様化を図ることができる。
【０００７】
請求項２に記載の発明は、請求項１に記載の織物生地であって、前記ループを表出したタオル地風合いの生地に対し、前記ガーゼ地の一部が結束された状態で織り上げてなるを要旨とするものである。
【０００８】
この構成によれば、ループを表出したタオル地風合いの生地とガーゼ地との重ね合わせて状態を良好に確保維持することができ、その織物生地を用いた種々の製品の成形を容易にするものである。
【０００９】
【発明の実施の形態】
以下、本発明の実施の形態について図にしたがって説明する。
図１に示すように、本実施の形態における織物生地１は、基本的に、ループを備えたタオル地風合いの生地２と、その生地２の裏面側にガーゼ地３とが重ね合わされて構成されている。
【００１０】
このタオル地風合いの生地２のループが形成された糸４は、図２に示すように、１本の芯糸４ａと、この芯糸４ａに対し所定の間隔でループ５〜５を形成するループ形成糸４ｂと、このループ形成糸４ｂのループ５〜５部位と芯糸４ａとを結束（ループ５の基の部分を締める）する押え糸４ｃとから１本の撚糸として形成されている。
【００１１】
なお、上記したループが形成された糸４は、そのループ５の形成上（形状保持等）からナイロン等の合成繊維糸が望ましいが、綿糸でも可能である。また、各ループ５〜５は所望の大きさに形成されるものであるが、約０．８〜１ｍｍ位が望ましい。
【００１２】
そして、本実施の形態における織物生地１は、タオル地風合いの生地２用の上記したループが形成された糸４及びこのループが形成された糸４とは別のストレート綿糸をそれぞれ緯糸Ｙ１とし、該ストレート綿糸を経糸Ｙ２とし、さらに、ガーゼ地３用の綿糸をそれぞれ緯糸ＹＡ１、経糸ＹＡ２として使用するものである。
【００１３】
すなわち、それぞれの生地２、３用としての緯糸Ｙ１及び経糸Ｙ２、緯糸ＹＡ１及び経糸ＹＡ２を、既存の織機、例えば、リバーシブル織機（図示しない）に供給し、該リバーシブル織機（図示しない）によって、部分的にループ５〜５が表面に表出された状態の、例えば，平織りのタオル地風合いの生地２が、所望の織幅で織り上げられるとともに、その裏面側にガーゼ地３が例えば，平織りのガーゼ地３が前記と同様な織幅で同時に織り上げられる。
【００１４】
この場合、タオル地風合いの生地２用の緯糸Ｙ１として使用されるループが形成された糸４と、このループが形成された糸４とは別のストレート綿糸との使用比率は、得ようとするタオル地風合いの度合いによって任意に選択するものである。
【００１５】
この場合、タオル風合いの生地２とともに織り上げられるガーゼ地３は、その織り上げ時に際し、ガーゼ地３用の任意の緯糸ＹＡ１等をタオル風合いの生地２用の経糸Ｙ２等の織り込むことにより、該前記ガーゼ地３の一部がタオル風合いの生地２に結束された状態を得ることができる。なお、ガーゼ地３の一部がタオル風合いの生地２に結束されない状態、すなわち、タオル風合いの生地２にガーゼ地３が織り込まれるようにすることもできる。
【００１６】
上述のようにして、既存の織物生地とは異なるタオル地風合いの生地２と、その生地２の他方面側にガーゼ地３とを重ね合わせた通常の織幅の織物生地１が得られるもので、この織物生地によって、該織物生地としてタオル地風合い及びガーゼ地を組合わせた機能の特色を活かした種々の製品を成形することができる。ループを表出したタオル地風合いの生地とガーゼ地との重ね合わせて状態を良好に確保維持することができ、その織物生地を用いた種々の製品の成形を容易にするものである。
【００１７】
そして、本実施の形態にあっては、ガーゼ地３の一部がタオル風合いの生地２に結束された状態を得ることができるので、この場合は、タオル地風合いの生地とガーゼ地との重ね合わせて状態を良好に確保維持することができ、その織物生地を用いた種々の製品の成形を容易にするものである。
【００１８】
なお、本実施の形態におけるそれぞれの生地２、３用としての緯糸Ｙ１及び経糸Ｙ２、緯糸ＹＡ１及び経糸ＹＡ２は、綿糸又は合成繊維糸のいずれにも限定しないものである。
【００１９】
【発明の効果】
請求項１に記載の発明にあっては、既存の織物生地とは異なる表面側にループを備えたタオル地風合いの生地とガーゼ地とを重ね合わせた織物生地を得ることができる。
そして、タオル風合いの生地並びにガーゼ地は、通常の織幅の織物生地として得ることが可能となり、その織物生地を用いた製品用途の多様化を図ることができる。
【００２０】
請求項１に記載の発明にあっては、ループを表出したタオル地風合いの生地とガーゼ地との重ね合わせて状態を良好に確保維持することができ、その織物生地を用いた種々の製品の成形を容易にすることができる。
【図面の簡単な説明】
【図１】本発明の実施の形態における織物生地１の断面を略示する説明図である。
【図２】ループを形成状態を略示した糸の説明図である。
【符号の説明】
１  織物生地
２  タオル地風合いの生地
３  ガーゼ地
４  ループが形成された糸
【図１】
2004332146.tif 000003
【図２】
2004332146.tif 000004